(57)【要約】【課題】温風吹出し通路の構造を簡略にし、組み立てを容易にすると共にコストを低減させる。【解決手段】固定送風通路１１ａと可動送風通路１１ｂを摺動自在に嵌め合わせて温風吹出し通路を構成する。可動送風通路１１ｂの側板１９には上下に長い長孔２０を穿孔してあり、固定送風通路１１ａの上フランジ２１から垂下した弾性片２２の内面には係止突起２３を突設してあり、この係止突起２３を長孔２０に摺動自在に嵌合させることにより、可動送風通路１１ｂを固定送風通路１１ａに対して上下に動けるようにすると共に、可動送風通路１１ｂの脱落を防止している。【選択図】　　　図７
2004060929.tif 000002
【特許請求の範囲】
【請求項１】
浴室の空気を加熱するための加熱手段と、前記加熱手段によって加熱された空気を浴室内に送り出すための循環ファンと、循環ファンからの送風を浴室内に向けて吹き出させるための温風吹出し通路と、前記温風吹出し通路の下方に配置された化粧パネルとを備えた浴室暖房装置において、
互いに摺動自在に嵌め合わせた固定送風通路と可動送風通路によって前記温風吹出し通路を形成し、前記両送風通路のうち一方の送風通路に上下方向に延びた貫通孔又は凹部を形成し、前記貫通孔又は凹部に摺動自在にはまり込む係止突起を前記両送風通路のうち他方の送風通路に設けたことを特徴とする浴室暖房装置。
【請求項２】
少なくとも２つ以上の係止突起を有し、係止突起の一部は前記一方の送風通路の内面側から前記貫通孔又は凹部に摺動自在にはまり込み、他の係止突起は前記一方の送風通路の外面側から前記貫通孔又は凹部に摺動自在にはまり込んでいることを特徴とする、請求項１に記載の浴室暖房装置。
【請求項３】
前記他方の送風通路に可撓性を有する弾性片を設け、該弾性片に前記係止突起を設けたことを特徴とする、請求項１又は２に記載の浴室暖房装置。
【請求項４】
前記可動送風通路を下方へ付勢するための弾性手段を備えたことを特徴とする、請求項１、２又は３に記載の浴室暖房装置。
【発明の詳細な説明】
【０００１】
【発明の属する技術分野】
本発明は、浴室暖房装置に関する。
【０００２】
【背景技術】
浴室の天井などに設置し、温風を吹き出すことによって浴室内を暖房したり、その下に吊した衣類等に温風を吹き付けて衣類の乾燥をさせたりするための浴室暖房装置が従来より用いられている。
【０００３】
このような浴室暖房装置にあっては、浴室の暖房に用いる場合には、直接入浴者に温風が吹き当たらないようにするため、温風吹出し通路からは斜め下方向に向けて温風を吐出させるようになっている。また、浴室暖房装置の真下に吊された衣類の乾燥を行う場合には、浴室暖房装置から衣類に向けて直接温風を吹き当てるため、温風吹出し通路から真下に向けて温風を吹き出させる。このため浴室暖房装置の温風吹出し通路には、風向板などを設けてあって、温風の吹き出し方向を調整できるようになっている。
【０００４】
また、化粧パネルは天井パネルの下面に配設されるが、装置本体は施工条件によって施工状態が異なっている。すなわち、家屋の新築時において天井パネルを張る前に装置本体を施工する場合には、装置本体の下面のフランジ部分が天井パネルの上に乗るように施工されるが、既設の浴室において浴室暖房装置を後付けする場合には、装置本体の下面のフランジ部が天井パネルの下面に当たるように施工される。このように施工状態によって装置本体の施工位置の高さが異なり、化粧パネルとの距離が異なるので、温風吹出し通路の下端と化粧パネルとの間に隙間が生じないようにするためには、温風吹出し通路を伸縮する構造にする必要があった。
【０００５】
しかしながら、従来の浴室暖房装置にあっては、温風吹出し通路を伸縮させるための構造や温風吹出し通路が伸びるようにバネで付勢するための構造が複雑であり、コストも高くついていた。
【０００６】
本発明は上記の従来例の問題点に鑑みてなされたものであり、その目的とするところは、温風吹出し通路の構造を簡略にし、組み立てを容易にすると共にコストを低減させることにある。
【０００７】
【発明の開示】
請求項１に記載の浴室暖房装置は、浴室の空気を加熱するための加熱手段と、前記加熱手段によって加熱された空気を浴室内に送り出すための循環ファンと、循環ファンからの送風を浴室内に向けて吹き出させるための温風吹出し通路と、前記温風吹出し通路の下方に配置された化粧パネルとを備えた浴室暖房装置において、互いに摺動自在に嵌め合わせた固定送風通路と可動送風通路によって前記温風吹出し通路を形成し、前記両送風通路のうち一方の送風通路に上下方向に延びた貫通孔又は凹部を形成し、前記貫通孔又は凹部に摺動自在にはまり込む係止突起を前記両送風通路のうち他方の送風通路に設けたことを特徴としている。ここでいう加熱手段は、特に限定されるものではなく、例えば、温水と熱交換させることによって浴室の空気を加熱する熱交換器でもよく、発熱によって浴室の空気を加熱する電気ヒータでもよい。
【０００８】
請求項１の浴室暖房装置にあっては、一方の送風通路に設けた上下に長い貫通孔又は凹部に他方の送風通路に設けた係止突起を摺動自在にはまり込ませているので、係止突起を貫通孔又は凹部に沿って移動させることで可動送風通路を上下にガイドしながら昇降させることができる。よって、可動送風通路が例えば自重によって下がることで可動送風通路の下面を化粧パネルに隙間無く当接させることができる。また、係止突起が貫通孔又は凹部にはまり込んで引っ掛かっていることによって可動送風通路が固定送風通路から脱落することがなく、浴室暖房装置の施工も容易に行える。さらに、係止突起を貫通孔又は凹部に嵌め込むだけの簡単な構造で可動送風通路と固定送風通路を組み立てているので、温風吹出し通路の組立を簡単に行え、コストも安価にすることができる。
【０００９】
本発明の浴室暖房装置は、請求項２に記載のように、少なくとも２つ以上の係止突起を有し、係止突起の一部は前記一方の送風通路の内面側から前記貫通孔又は凹部に摺動自在にはまり込み、他の係止突起は前記一方の送風通路の外面側から前記貫通孔又は凹部に摺動自在にはまり込んでいてもよい。
【００１０】
請求項３に記載の浴室暖房装置は、請求項１又は２における前記他方の送風通路に可撓性を有する弾性片を設け、該弾性片に前記係止突起を設けたことを特徴としている。
【００１１】
請求項３に記載の浴室暖房装置にあっては、他方の送風通路に設けた弾性片に係止突起を設けているので、弾性片を押し広げることによって容易に係止突起を貫通孔又は凹部から取り出すことができ、可動送風通路と固定送風通路とを容易に分解することができる。
【００１２】
請求項４に記載の浴室暖房装置は、請求項１、２又は３における前記可動送風通路を下方へ付勢するための弾性手段を備えたことを特徴としている。可動送風通路は自重によって下方へ下がるが、可動送風通路を弾性手段により下方へ付勢することにより、確実に可動送風通路の下端面を化粧パネルに当接させることができる。よって、送風路と化粧パネルとの間に隙間が生じて風損を生じるのを防止することができる。
【００１３】
【発明の実施の形態】
（第１の実施形態）
図１（ａ）は本発明の一実施形態による天井取付け型の浴室暖房装置の構造を示す概略断面図、図１（ｂ）は図１（ａ）のＸ−Ｘ線断面図である。浴室暖房装置１は、装置本体２と化粧パネル３とから構成されている。装置本体２は天井裏へ納入され、吊りボルト（図示せず）等によって天井裏で吊り下げられる。装置本体２の下面に対向して開口された天井パネル４の開口５の下には、化粧パネル３が着脱自在に取付けられる。
【００１４】
装置本体２においては、下面開口した箱状のケーシング６内にクロスフローファンからなる循環ファン７が納められ、循環ファン７の回転軸には、循環ファンモータ８が接続されている。循環ファンモータ８の両面には軸受け部分８ａが設けられており、一方の軸受け部分８ａは、換気通路部品９ｂと一体に形成された循環ファンモータ受け９ａに保持されており、他方の軸受け部分８ａは循環ファンモータ受け９ａと仕切板１８との間に挟み込まれて保持されている。また、循環ファン７の回転軸の他端に設けられた軸受け７ａは、ケーシング６の内面に設けられた段部と仕切板１８との間に挟み込まれて保持されている。循環ファン７のエア吸入側には２面の熱交換器１０が設置されており、循環ファン７のエア吹き出し側には固定送風通路１１ａと可動送風通路１１ｂとからなる温風吹出し通路１１が形成されている。
【００１５】
化粧パネル３には、グリル状をした吸込口１２と吹出口１３とが設けられ、吸込口１２は循環ファン７のエア吸い込み側に対向するように配置され、吹出口１３には装置本体２の可動送風通路１１ｂの下端が当接している。また、吸込口１２の上面には面状のフィルタ１４が配設されている。
【００１６】
しかして、循環ファンモータ８により循環ファン７を回転させると、化粧パネル３の吸込口１２から装置本体２内へ浴室内の空気が吸い込まれ、吸い込まれた空気は熱交換器１０を通過する。熱交換器１０には、熱源機（図示せず）で加熱された温水が循環しており、循環ファン７により吸い込まれた空気が熱交換器１０を通過すると、温水と熱交換することによって加熱される。加熱された温風は、循環ファン７によって送り出され、固定送風通路１１ａ及び可動送風通路１１ｂからなる温風吹出し通路１１を通って吹出口１３から吹き出される。
【００１７】
よって、冬季の入浴時または入浴前においては、吹出口１３から例えば斜めに温風を吹き出させることによって、浴室内の暖房を行うことができる。また、吹出口１３の真下に衣類を吊り下げておき、吹出口１３から真下に向けて温風を吹き出させることにより、浴室内を衣類乾燥室として使用することができる。
【００１８】
図２は上記装置本体２を下方から見上げた状態の一部省略した斜視図である。前記循環ファンモータ受け９ａと一体に形成された換気通路部品９ｂに隣接する位置には、換気装置１５が設置されている。換気通路部品９ｂの上面は開口しており、換気通路部品９ｂの上面をケーシング６の内面に当接するようにして換気通路部品９ｂをケーシング６の天面に取付け、換気通路部品９ｂとケーシング６との間に換気通路１６を形成している。換気装置１５の排出口は、換気通路１６に接続されている。しかして、浴室内の湿気を含んだ空気は、換気装置１５により換気通路１６等を通じて浴室暖房装置１の外部へ排出され、さらに排気ダクト（図示せず）を通じて屋外へ排出される。
【００１９】
図３は装置本体２のケーシング６内に納められている循環ファンモータ８、固定及び可動送風通路１１ａ、１１ｂ、熱交換器１０などの配置を示す下面側からの斜視図である。また、図４及び図６は固定送風通路１１ａ及び可動送風通路１１ｂの側面図である。固定送風通路１１ａ及び可動送風通路１１ｂは、循環ファン７の吹出し側に配置されている。下部が筒状をした固定送風通路１１ａの両側面からは仕切板１８が延出されている。循環ファン７は、上面をケーシング６の天面で覆われ、両側面を固定送風通路１１ａの仕切板１８で挟まれている。可動送風通路１１ｂも下部が筒状に形成されており、固定送風通路１１ａの下部外周は可動送風通路１１ｂ内へ摺動自在に挿入されている。従って、熱交換器１０で加熱され、循環ファン７から送り出された浴室内の空気は、固定送風通路１１ａの内部へ送り込まれ、さらに可動送風通路１１ｂを通って化粧パネル３の吹出口１３から浴室内へ吹き出される。
【００２０】
可動送風通路１１ｂの側板１９の上部には、図７に示すような上下に長い長孔２０が穿孔されている。固定送風通路１１ａの上フランジ２１からは、可動送風通路１１ｂの外面で長孔２０に対向するようにして弾性片２２が垂下されており、弾性片２２の内面に突出した係止突起２３が図８に示すように長孔２０内に嵌合していて、係止突起２３が長孔２０に沿って上下に摺動できるようになっている。従って、係止突起２３が長孔２０内を移動することによって可動送風通路１１ｂの上下動がガイドされ、図４に示すように可動送風通路１１ｂが固定送風通路１１ａに沿ってスムーズに上昇し、あるいは、図５に示すように可動送風通路１１ｂが固定送風通路１１ａに沿ってスムーズに下降することができる。
【００２１】
一方、係止突起２３は長孔２０の範囲でしか動くことができず、係止突起２３の上面は平らになっているので、係止突起２３の上面が長孔２０の上端に当接すると、それ以上可動送風通路１１ｂは下がることができず、これ以上可動送風通路１１ｂが下方へ抜けて固定送風通路１１ａから脱落する恐れがない。従って、装置本体２だけを浴室の天井部分に施工した状態では、可動送風通路１１ｂは自重によって下方へ下がっているが、装置本体２の下に化粧パネル３を取付けると、化粧パネル３の吹出口１３によって可動送風通路１１ｂが押し上げられて可動送風通路１１ｂが高さ調整され、可動送風通路１１ｂの下面が吹出口１３の上面に密着して循環ファン７からの風が漏れることが無い。
【００２２】
また、係止突起２３が長孔２０内にはまり込んでいるが、係止突起２３は弾性片２２に設けられているので、保守点検時などに、可動送風通路１１ｂを固定送風通路１１ａから外したい場合には、左右の弾性片２２を外に広げて係止突起２３を長孔２０から抜けば、容易に可動送風通路１１ｂを取り外すことができる。逆に、可動送風通路１１ｂを固定送風通路１１ａに取付ける場合には、係止突起２３の下面側に傾斜面２４を設けているために、可動送風通路１１ｂを固定送風通路１１ａの外に嵌めて押し上げれば、自然に係止突起２３が長孔２０内にはまり込み、ワンタッチで可動送風通路１１ｂが固定送風通路１１ａに取付けられる。
【００２３】
図３に示すように可動送風通路１１ｂの下面開口部には、可動送風通路１１ｂから吹き出される風の方向を調整するための風向板２５が回動自在に軸支されており、可動送風通路１１ｂの側面に取付けられたモータ２６で風向板２５を回動させることにより、リモートコントローラなどから風向調整を行えるようにしている。
【００２４】
また、仕切板１８の上部には半円状をした軸押え部１７が設けられており、図１（ｂ）に示したように、一方の仕切板１８の軸押え部１７で循環ファンモータ８の軸受け部分８ａを押えて循環ファンモータ受け９ａと軸押え部１７との間に軸受け部分８ａを挟み込んでいる。同様に、他方の仕切板１８の軸押え部１７で循環ファン７の軸受け７ａを押えてケーシング６の段部と軸押え部１７との間に軸受け７ａを挟み込んでいる。
【００２５】
なお、可動送風通路１１ｂは自重によって下方へ下がり、化粧パネル３の吹出口１３に当接するが、弾性手段によって可動送風通路１１ｂを下方へ付勢し、可動送風通路１１ｂの下面を吹出口１３に弾性的に当接させてもよい。即ち、図４及び図５に示すように、可動送風通路１１ｂの両側面にアーム２７の一端をネジ２８によって固定してあり、アーム２７の他端裏面にコイルバネ２９を保持させておき、コイルバネ２９の一方の端を可動送風通路１１ｂの側面に設けたバネ止め３０に止め、コイルバネ２９の他方の端部をケース６に設けたバネ止め（図示せず）に止めている。しかして、コイルバネ２９は、その両端を狭めるようにしてバネ止め３０、３１に取付けられており、コイルバネ２９の広がろうとする弾性復帰力によって可動送風通路１１ｂは下方へ付勢されている。よって、このような構成を負荷すれば、可動送風通路１１ｂと吹出口１３の間に隙間ができて風損を生じるのをより確実に防止することができる。
【００２６】
（第２の実施形態）
図９は本発明の別な実施形態による浴室暖房装置に用いられている固定送風通路１１ａの構造を示す平面図、図１０は図９のＡ矢視図、図１１は図９のＢ矢視図、図１２は図９のＺ−Ｚ線断面図、図１３は図９のＷ−Ｗ線断面図である。この固定送風通路１１ａにあっては、図１２に示すように、下部に送風ガイド３２を設けることにより、温風を吹き出すための筒状の経路を構成している。この筒状部分の両側面からは仕切板１８が延出されており、各仕切板１８の上面には半円状に切り欠かれた軸押え部１７が形成されている。一方の仕切板１８においては、図１０及び図１３に示すように、上フランジ２１から弾性片２２が垂下されており、弾性片２２の内面（固定送風通路１１ａの側面と対向する面）には係止突起２３が突設され、係止突起２３の上面が水平面となり、下部が傾斜面２４となっている。これは第１の実施形態における弾性片２２と同様な構造であり、可動送風通路１１ｂの側板１９に設けられた上下に長い長孔２０に、側板１９の外面側から係止突起２３がはまり込んでいる（図８参照）。
【００２７】
他方の仕切板１８においては、図１１及び図１３に示すように固定送風通路１１ａの上端部から弾性片３３が垂下されており、弾性片３３の外面（固定送風通路１１ａの側面と対向する面と反対側の面）には係止突起３４が突設され、係止突起３４の上面が水平面となり、下部が傾斜面３５となっている。また、弾性片３３の係止突起３４が設けられている面と対向させるようにして、固定送風通路１１ａの上端部からは剛性の高いバックアップ部材３６が垂下されている。図１４に示すように、可動送風通路１１ｂの、こちら側の側板１９においても、上下に長い長孔３７が開口されており、この側板１９は弾性片３３とバックアップ部材３６との間に差し込まれている。そして、弾性片３３の係止突起３４は、側板１９の内面側から長孔３７内にはまり込んで嵌合しており、係止突起３４が長孔３７に沿って上下に摺動できるようになっている。
【００２８】
従って、係止突起２３、３４が長孔２０、３７内を移動することによって可動送風通路１１ｂの上下動がガイドされ、可動送風通路１１ｂが固定送風通路１１ａに沿ってスムーズに昇降できるようになっている。
【００２９】
このような構造でも、第１の実施形態の場合と同様な作用効果を奏することができる。すなわち、係止突起２３、３４は長孔２０、３７の範囲でしか動くことができず、係止突起２３、３４の上面は平らになっているので、係止突起２３、３４の上面が長孔２０、３７の上端に当接すると、それ以上可動送風通路１１ｂは下がることができず、これ以上可動送風通路１１ｂが下方へ抜けて固定送風通路１１ａから脱落する恐れがない。従って、装置本体２だけを浴室の天井部分に施工した状態では、可動送風通路１１ｂは自重によって下方へ下がっているが、装置本体２の下に化粧パネル３を取付けると、化粧パネル３の吹出口１３によって可動送風通路１１ｂが押し上げられて可動送風通路１１ｂが高さ調整され、可動送風通路１１ｂの下面が吹出口１３の上面に密着して循環ファン７からの風が漏れることが無い。
【００３０】
また、係止突起２３、３４が長孔２０、３７内にはまり込んでいるが、係止突起２３、３４は弾性片２２、３３に設けられているので、保守点検時などに、可動送風通路１１ｂを固定送風通路１１ａから外したい場合には、左右の弾性片２２、３３を撓ませて係止突起２３、３４を長孔２０、３７から抜けば、容易に可動送風通路１１ｂを取り外すことができる。逆に、可動送風通路１１ｂを固定送風通路１１ａに取付ける場合には、係止突起２３、３４の下面側に傾斜面２４、３５を設けているために、可動送風通路１１ｂを固定送風通路１１ａの外に嵌めて押し上げれば、自然に係止突起２３、３４が長孔２０、３７内にはまり込み、ワンタッチで可動送風通路１１ｂが固定送風通路１１ａに取付けられる。
【００３１】
なお、可動送風通路１１ｂは自重によって下方へ下がり、化粧パネル３の吹出口１３に当接するが、第１の実施形態と同様、弾性手段によって可動送風通路１１ｂを下方へ付勢し、可動送風通路１１ｂの下面を吹出口１３に弾性的に当接させるようにしてもよい。
【００３２】
【発明の効果】
請求項１の浴室暖房装置にあっては、一方の送風通路に設けた上下に長い貫通孔又は凹部に他方の送風通路に設けた係止突起を摺動自在にはまり込ませているので、係止突起を貫通孔又は凹部に沿って移動させることで可動送風通路を上下にガイドしながら昇降させることができる。よって、可動送風通路が例えば自重によって下がることで可動送風通路の下面を化粧パネルに隙間無く当接させることができる。また、係止突起が貫通孔又は凹部にはまり込んで引っ掛かっていることによって可動送風通路が固定送風通路から脱落することがなく、浴室暖房装置の施工も容易に行える。さらに、係止突起を貫通孔又は凹部に嵌め込むだけの簡単な構造で可動送風通路と固定送風通路を組み立てているので、送風路の組立を簡単に行え、コストも安価にすることができる。
【００３３】
本発明の浴室暖房装置は、請求項２に記載のように、少なくとも２つ以上の係止突起を有し、係止突起の一部は前記一方の送風通路の内面側から前記貫通孔又は凹部に摺動自在にはまり込み、他の係止突起は前記一方の送風通路の外面側から前記貫通孔又は凹部に摺動自在にはまり込んでいてもよい。
【００３４】
また、請求項３に記載の浴室暖房装置にあっては、他方の送風通路に設けた弾性片に係止突起を設けているので、弾性片を押し広げることによって容易に係止突起を貫通孔又は凹部から取り出すことができ、可動送風通路と固定送風通路とを容易に分解することができる。
【００３５】
また、請求項４に記載の浴室暖房装置にあっては、可動送風通路を弾性手段により下方へ付勢することにより、確実に可動送風通路の下端面を化粧パネルに当接させることができ、送風路と化粧パネルとの間に隙間が生じて風損を生じるのを防止することができる。
【図面の簡単な説明】
【図１】（ａ）は本発明の一実施形態による天井取付け型の浴室暖房装置の構造を示す概略断面図、（ｂ）は（ａ）のＸ−Ｘ線断面図である。
【図２】同上の浴室暖房装置を構成する装置本体を下方から見上げた状態の一部省略した斜視図である。
【図３】同上の装置本体内に納められている循環ファン、固定及び可動送風通路、熱交換器などの配置を示す下面側からの斜視図である。
【図４】固定送風通路及び可動送風通路の側面図であって、可動送風通路が上昇した状態を表している。
【図５】固定送風通路及び可動送風通路の側面図であって、可動送風通路が下がった状態を表している。
【図６】固定送風通路及び可動送風通路の反対側から見た側面図である。
【図７】固定送風通路の弾性片の一部と可動送風通路の長孔を示す斜視図である。
【図８】図５のＹ−Ｙ線断面図である。
【図９】本発明の別な実施形態による浴室暖房装置に用いられている固定送風通路の構造を示す平面図である。
【図１０】図９のＡ矢視図である。
【図１１】図９のＢ矢視図である。
【図１２】図９のＺ−Ｚ線断面図である。
【図１３】図９のＷ−Ｗ線断面図である。
【図１４】固定送風通路の弾性片に設けられた係止突起が可動送風通路の長孔にはまり込んでいる様子を示す断面図である。
【符号の説明】
２　　　装置本体
３　　　化粧パネル
７　　　循環ファン
１１　　　温風吹出し通路
１１ａ　　固定送風通路
１１ｂ　　可動送風通路
１３　　　吹出口
２０、３７　長孔
２２、３３　弾性片
２３、３４　係止突起
２４、３５　傾斜面
２９　　　コイルバネ
【図１】
2004060929.tif 000003
【図２】
2004060929.tif 000004
【図３】
2004060929.tif 000005
【図４】
2004060929.tif 000006
【図５】
2004060929.tif 000007
【図６】
2004060929.tif 000008
【図７】
2004060929.tif 000009
【図８】
2004060929.tif 000010
【図９】
2004060929.tif 000011
【図１０】
2004060929.tif 000012
【図１１】
2004060929.tif 000013
【図１２】
2004060929.tif 000014
【図１３】
2004060929.tif 000015
【図１４】
2004060929.tif 000016